(57)【特許請求の範囲】
【請求項１】
生体サンプルを電気泳動によって分離するサンプル分離媒体に前記生体サンプルを導入するサンプル導入方法であって、
前記サンプル分離媒体を設置する設置面と、前記サンプル分離媒体の両端部に接続される第１電極および第２電極と、を有し、前記設置面に、前記生体サンプルを含むサンプル溶液の濡れ広がりを抑制しつつ前記サンプル溶液を保持するサンプル保持部が設けられてなる電気泳動用チャンバーの前記サンプル保持部に前記サンプル溶液を供給する第１のステップと、
前記サンプル保持部に供給した前記サンプル溶液に前記サンプル分離媒体を接触させ、前記サンプル分離媒体に前記生体サンプルを導入する第２のステップと、を含み、
前記第２のステップでは、前記第１電極と前記第２電極との間に電圧を印加しながら前記サンプル分離媒体に前記サンプル溶液を接触させるサンプル導入方法。
【請求項２】
前記サンプル保持部は、前記サンプル保持部の周囲の前記設置面よりも親水性の高い親水性部である請求項１に記載のサンプル導入方法。
【請求項３】
前記サンプル保持部は、前記設置面に設けられた窪みであり、
前記窪みの深さは前記サンプル分離媒体の厚みよりも小さい請求項１に記載のサンプル導入方法。
【請求項４】
前記サンプル保持部は、前記第２電極よりも前記第１電極に近い側または前記第１電極よりも前記第２電極に近い側に設けられている請求項１〜３のいずれか１項に記載のサンプル導入方法。
【請求項５】
前記サンプル分離媒体は、膨潤したゲルである請求項１〜４のいずれか１項に記載のサンプル導入方法。
【請求項６】
請求項１〜５のいずれか１項に記載のサンプル導入方法を用いて前記サンプル分離媒体に前記生体サンプルを導入するサンプル導入ステップと、
前記第１電極と前記第２電極との間に電圧を印加して、前記生体サンプルを等電点電気泳動によって分離する第１電気泳動ステップと、を含むサンプル分離方法。
【請求項７】
前記第１電気泳動ステップでは、前記サンプル分離媒体を前記設置面に密着させた状態で前記第１電極と前記第２電極との間に電圧を印加する請求項６に記載のサンプル分離方法。
【請求項８】
前記サンプル導入ステップでは、前記サンプル分離媒体がサンプル溶液を吸収し膨潤することにより、前記サンプル分離媒体が前記設置面に密着する請求項７に記載のサンプル分離方法。
【請求項９】
前記第１電気泳動ステップでは、前記サンプル分離媒体を搬送アームによって前記設置面に押し付けることにより、前記サンプル分離媒体を前記設置面に密着させる請求項７に記載のサンプル分離方法。
【請求項１０】
前記第１電気泳動ステップによって前記生体サンプルの分離が行われた前記サンプル分離媒体を第２の電気泳動用チャンバーに搬送する搬送ステップと、
前記第２の電気泳動用チャンバーに搬送された前記サンプル分離媒体に電圧を印加し、前記生体サンプルをＳＤＳ−ポリアクリルアミドゲル電気泳動によって分離する第２電気泳動ステップと、を含む請求項６〜９のいずれか１項に記載のサンプル分離方法。
【請求項１１】
請求項１〜５のいずれか１項に記載のサンプル導入方法を用いて前記サンプル分離媒体に前記生体サンプルを導入するサンプル導入ステップと、
前記サンプル分離媒体を設置する平坦な設置面と、前記サンプル分離媒体の両端部に接続される第１電極および第２電極と、を有する第３の電気泳動用チャンバーに前記サンプル分離媒体を設置し、前記サンプル分離媒体を前記第３の電気泳動用チャンバーの前記設置面に密着させた状態で、前記第３の電気泳動用チャンバーの前記第１電極と前記第２電極との間に電圧を印加して、前記生体サンプルを等電点電気泳動によって分離する第１電気泳動ステップと、を含むサンプル分離方法。
【請求項１２】
前記第１電気泳動ステップによって前記生体サンプルの分離が行われた前記サンプル分離媒体を第２の電気泳動用チャンバーに搬送する搬送ステップと、
前記第２の電気泳動用チャンバーに搬送された前記サンプル分離媒体に電圧を印加し、前記生体サンプルをＳＤＳ−ポリアクリルアミドゲル電気泳動によって分離する第２電気泳動ステップと、を含む請求項１１に記載のサンプル分離方法。
【請求項１３】
生体サンプルを電気泳動によって分離するサンプル分離媒体を設置する設置面と、前記サンプル分離媒体の両端部に接続される第１電極および第２電極と、を有する電気泳動用チャンバーを備え、
前記電気泳動用チャンバーの前記設置面に、前記生体サンプルを含むサンプル溶液の濡れ広がりを抑制しつつ前記サンプル溶液を保持するサンプル保持部が設けられ、
前記第１電極と前記第２電極との間に電圧を印加しながら前記サンプル分離媒体に前記サンプル溶液を接触させる電気泳動用器具。
【発明の詳細な説明】
【技術分野】
【０００１】
本発明は、ライフサイエンス技術における生体サンプルの二次元電気泳動に好適に適用可能なサンプル導入方法、サンプル分離方法および電気泳動用器具に関する。
【背景技術】
【０００２】
二次元電気泳動は、一般に分解能が高いので、タンパク質等の生体サンプルの分離方法として優れている。二次元電気泳動によりタンパク質を分離する場合には、一次元方向への分離に等電点電気泳動が利用されている。等電点電気泳動は、ゲルに電圧を印加し、タンパク質の等電点の違いにより分離をおこなう手法である。また、二次元方向への分離には、陰イオン系界面活性剤であるドデシル硫酸ナトリウム（ＳＤＳ）を用いたＳＤＳ−ポリアクリルアミドゲル電気泳動（ＳＤＳ−ＰＡＧＥ）が広く利用されている。二次元電気泳動は、一度に多くのタンパク質を分離し、網羅的に解析できるため、プロテオーム解析に広く利用されている。
【０００３】
等電点電気泳動の従来技術には、生体サンプルを含む膨潤液でドライストリップゲルを膨潤させ、ゲルストリップホルダーに移して等電点電気泳動を行う方法と、予め膨潤液のみでドライストリップゲルを膨潤させ、ゲルストリップホルダーに移した後、試料カップ内に生体サンプルを入れて、等電点電気泳動を行う方法の２つの方法がある。後者はカップローディング法と呼ばれ、生体サンプルの導入を電圧印加しながら行うため生体サンプルの導入効率が良く、生体サンプルをある領域（酸側、あるいは塩基側）より導入することができるため、移動距離が長くなり分解能が向上する方法として臨床サンプルの二次元電気泳動等に使用されている（特許文献１を参照）。
【０００４】
一般に上記カップローディング法による等電点電気泳動は、まず、尿素、チオ尿素、３−［（コラミドプロピル）ジメチルアンモニオ]−１−プロパンスルホナート（ＣＨＡＰＳ）、ジチオトレイトール（ＤＴＴ）、両性担体（キャリアアンフォライト）を含む水溶液を専用のチャンバーに入れ、ポリアクリルアミドゲルにｐＨ勾配を固定化し乾燥させたドライストリップゲル（ＩＰＧゲル)をゲル面を下方にして浸す。乾燥防止のためにパラフィンオイル等のカバー溶液を入れ、数時間静置して上記ＩＰＧゲルを膨潤（再水和）する。
【０００５】
次に、上記チャンバーからＩＰＧゲルを取り除き、等電点電気泳動用のチャンバーにゲル面を上方にして設置してＩＰＧゲルの上に湿ったろ紙と電極を設置する。その後、ゲル上の任意の位置に試料カップを設置し、試料カップ内に生体サンプルを含むサンプル溶液を添加し、上記のカバーオイルを入れる。試料カップのない領域のゲル上にもカバーオイルを入れゲルが空気中に露出しないようにし、電圧を印加して等電点電気泳動をスタートする。
【先行技術文献】
【特許文献】
【０００６】
【特許文献１】特表２００８−５１０４８１号公報
【発明の概要】
【発明が解決しようとする課題】
【０００７】
上記のカップローディング法による等電点電気泳動において、ＩＰＧゲルの膨潤工程では寸法安定性のないＩＰＧゲルの上に膨潤液を滴下しても均一に膨潤されないため、ゲル面を下にするのが一般的である。また、電圧を印加する工程では生体サンプル上にカバー溶液を添加する必要があるので、ゲル面を上にする必要がある。さらに、ＩＰＧゲルが膨潤した状態でないと試料カップを隙間なく設置できない。以上の理由から、ＩＰＧゲルの膨潤後、ＩＰＧゲルを移動させる必要がある。
【０００８】
また上記のように、生体サンプルと水分を多く含むゲルの乾燥防止のためのカバー溶液（一般にパラフィンオイル等）が必要であり、加えて、カップ内の生体サンプルは高濃度で存在しているため、試料カップとゲルの間に沈殿する不純物を除去するためのフィルター（ろ紙等）を挿入するのが通例である。このようなカバー溶液、試料カップ、フィルター等の設置の手間は使用者に熟練を要し、研究者による電気泳動の分離パターンの再現性に影響を与えている。
【０００９】
このような背景から、等電点電気泳動による生体サンプルの分離を再現性よく容易に行うことが可能な方法が求められていた。
【００１０】
本発明の目的は、等電点電気泳動による生体サンプルの分離を再現性よく容易に行うことが可能なサンプル導入方法、サンプル分離方法および電気泳動用器具を提供することにある。
【課題を解決するための手段】
【００１１】
本発明のサンプル導入方法は、生体サンプルを電気泳動によって分離するサンプル分離媒体に前記生体サンプルを導入するサンプル導入方法であって、前記サンプル分離媒体を設置する設置面と、前記サンプル分離媒体の両端部に接続される第１電極および第２電極と、を有し、前記設置面に、前記生体サンプルを含むサンプル溶液の濡れ広がりを抑制しつつ前記サンプル溶液を保持するサンプル保持部が設けられてなる電気泳動用チャンバーの前記サンプル保持部に前記サンプル溶液を供給する第１のステップと、前記サンプル保持部に供給した前記サンプル溶液に前記サンプル分離媒体を接触させ、前記サンプル分離媒体に前記生体サンプルを導入する第２のステップと、を含む。
【００１２】
前記第２のステップでは、前記第１電極と前記第２電極との間に電圧を印加しながら前記サンプル分離媒体に前記サンプル溶液を接触させてもよい。
【００１３】
前記サンプル保持部は、前記サンプル保持部の周囲の前記設置面よりも親水性の高い親水性部であってもよい。
【００１４】
前記サンプル保持部は、前記設置面に設けられた窪みであってもよい。
【００１５】
前記窪みの深さは前記サンプル分離媒体の厚みよりも小さくてもよい。
【００１６】
前記サンプル保持部は、前記第２電極よりも前記第１電極に近い側または前記第１電極よりも前記第２電極に近い側に設けられていてもよい。
【００１７】
前記サンプル分離媒体は、膨潤したゲルであってもよい。この場合、完全に膨潤されていないゲルの方が、サンプル溶液を吸収できるため好ましい。
【００１８】
本発明のサンプル分離方法は、本発明のサンプル導入方法を用いて前記サンプル分離媒体に前記生体サンプルを導入するサンプル導入ステップと、前記第１電極と前記第２電極との間に電圧を印加して、前記生体サンプルを等電点電気泳動によって分離する第１電気泳動ステップと、を含む。
【００１９】
前記第１電気泳動ステップでは、前記サンプル分離媒体を前記設置面に密着させた状態で前記第１電極と前記第２電極との間に電圧を印加してもよい。
【００２０】
前記サンプル分離媒体を前記電気泳動用チャンバーの設置面に密着させる方法としては、次の方法がある。第１の方法は、サンプル分離媒体である未飽和膨潤ゲルがサンプル溶液を吸収し膨潤することで、サンプル分離媒体が電気泳動用チャンバーの設置面に密着する方法である。第２の方法は、サンプル分離媒体を搬送アームによって電気泳動用チャンバーの設置面に押し付ける方法である。すなわち、前記サンプル導入ステップでは、前記サンプル分離媒体がサンプル溶液を吸収し膨潤することにより、前記サンプル分離媒体が前記設置面に密着してもよい。また、前記第１電気泳動ステップでは、前記サンプル分離媒体を搬送アームによって前記設置面に押し付けることにより、前記サンプル分離媒体を前記設置面に密着させてもよい。
【００２１】
前記第１電気泳動ステップによって前記生体サンプルの分離が行われた前記サンプル分離媒体を第２の電気泳動用チャンバーに搬送する搬送ステップと、前記第２の電気泳動用チャンバーに搬送された前記サンプル分離媒体に電圧を印加し、前記生体サンプルをＳＤＳ−ポリアクリルアミドゲル電気泳動によって分離する第２電気泳動ステップと、を含んでもよい。
【００２２】
本発明のサンプル分離方法は、本発明のサンプル導入方法を用いて前記サンプル分離媒体に前記生体サンプルを導入するサンプル導入ステップと、前記サンプル分離媒体を設置する平坦な設置面と、前記サンプル分離媒体の両端部に接続される第１電極および第２電極と、を有する第３の電気泳動用チャンバーに前記サンプル分離媒体を設置し、前記サンプル分離媒体を前記第３の電気泳動用チャンバーの前記設置面に密着させた状態で、前記第３の電気泳動用チャンバーの前記第１電極と前記第２電極との間に電圧を印加して、前記生体サンプルを等電点電気泳動によって分離する第１電気泳動ステップと、を含む。
【００２３】
前記第１電気泳動ステップによって前記生体サンプルの分離が行われた前記サンプル分離媒体を第２の電気泳動用チャンバーに搬送する搬送ステップと、前記第２の電気泳動用チャンバーに搬送された前記サンプル分離媒体に電圧を印加し、前記生体サンプルをＳＤＳ−ポリアクリルアミドゲル電気泳動によって分離する第２電気泳動ステップと、を含んでもよい。
【００２４】
本発明の電気泳動用器具は、生体サンプルを電気泳動によって分離するサンプル分離媒体を設置する設置面と、前記サンプル分離媒体の両端部に接続される第１電極および第２電極と、を有する電気泳動用チャンバーを備え、前記電気泳動用チャンバーの前記設置面に、前記生体サンプルを含むサンプル溶液の濡れ広がりを抑制しつつ前記サンプル溶液を保持するサンプル保持部が設けられ、前記第１電極と前記第２電極との間に電圧を印加しながら前記サンプル分離媒体に前記サンプル溶液を接触させる。
【発明の効果】
【００２５】
本発明によれば、等電点電気泳動による生体サンプルの分離を再現性よく容易に行うことが可能なサンプル導入方法、サンプル分離方法および電気泳動用器具を提供することができる。
【図面の簡単な説明】
【００２６】
【図１】第１実施形態の電気泳動装置の概略構成を示す図である。
【図２】電気泳動装置にＩＥＦチップを設置した状態を示す図である。
【図３】電気泳動用器具の平面図および断面図である。
【図４】サンプル導入方法の説明図である。
【図５】サンプル導入方法の説明図である。
【図６】サンプル保持部にサンプル分離媒体を密着させた場合と密着させない場合とで、サンプル分離媒体に印加される電圧の均一性がどのように変化するかを説明する図である。
【図７】第２実施形態の電気泳動用器具の平面図および断面図である。
【図８】サンプル導入方法の説明図である。
【図９】サンプル導入方法の説明図である。
【図１０】サンプル保持部にサンプル分離媒体を密着させた場合と密着させない場合とで、サンプル分離媒体に印加される電圧の均一性がどのように変化するかを説明する図である。
【図１１】第３実施形態の電気泳動用器具の平面図および断面図である。
【図１２】サンプル導入方法の説明図である。
【図１３】サンプル導入方法の説明図である。
【図１４】電気泳動用器具に設けられるサンプル保持部の他のバリエーションの一例を示す平面図である。
【発明を実施するための形態】
【００２７】
［第１実施形態］
図１は、第１実施形態の電気泳動装置１２の概略構成を示す図である。図２は、電気泳動装置１２にＩＥＦ（IsoElectric Focusing）チップ４０を設置した状態を示す図である。
【００２８】
電気泳動装置１２は、電気泳動用器具１０、カバー５０、電源２２、電圧測定器２０、電流測定器２１、電圧制御機１３および搬送アーム４５を備えている。
【００２９】
電気泳動用器具１０は、ＩＥＦチップ４０を設置するための電気泳動用チャンバー１を備えている。電気泳動用チャンバー１は、電気泳動用器具１０の一面に形成された矩形状の溝であり、電気泳動用チャンバー１の底面が、ＩＥＦチップ４０が設置される設置面１ａである。電気泳動用チャンバー１の上部はカバー５０で覆われている。
【００３０】
電気泳動用チャンバー１には、ＩＥＦチップ４０の酸性側の端部に接続される第１電極３０と、ＩＥＦチップ４０の塩基性側の端部に接続される第２電極３１と、が設置されている。電気泳動用チャンバー１の設置面１ａには、タンパク質や核酸などの生体サンプルを含むサンプル溶液を保持するためのサンプル保持部３が設けられている。サンプル保持部３は、第１電極３０と第２電極３１との間に設けられている。
【００３１】
第１電極３０および第２電極３１は電源２２に接続されている。電源２２は、電圧制御機１３によって制御される。電圧制御機１３としては、通常のパーソナルコンピューターを用いることができる。電源２２は、LabVIEW（Laboratory Virtual Instrumentation Engineering Workbench）などの開発環境を用いて制御される。
【００３２】
電圧制御機１３は、電源２２に指定の電圧を印加するための信号を発信する。電源２２から第１電極３０および第２電極３１に供給される電圧および電流は、電圧測定器２０および電流測定器２１によってそれぞれモニターされる。電圧測定器２１および電流測定器２０は、例えば、１回／０．１秒以上の頻度で電圧および電流の検出が行われる。
【００３３】
ＩＥＦチップ４０は、一次元電気泳動用のサンプル分離媒体４２と、サンプル分離媒体４２を支持する支持体４１と、を備えている。サンプル分離媒体４２は、等電点電気泳動により生体サンプルを分離する媒体である。サンプル分離媒体４２としては、二次元電気泳動の一次元目用ゲルとして通常用いられるものが利用でき、例えば、ポリアクリルアミド、アガロース、寒天、およびデンプンからなる群より選ばれるゲル化剤によりゲル化された固定化ｐＨ勾配（Immobilized pH gradient: IPG）ゲルなどが好適である。支持体４１は例えばプラスチック製の板やフィルムなどを用いることができる。
【００３４】
サンプル分離媒体４２は緩衝液を含んでいてもよい。緩衝液は、水素イオン濃度に対する緩衝作用のある溶液（少量の酸や塩基を加えたり、多少濃度が変化したりしてもｐＨが大きく変化しないようにした溶液）であり、弱酸とその塩を含む溶液などが代表的である。緩衝液としては、極性の分子を含有していない緩衝液を用いることが好ましく、例えば、8M Urea,2M Thiourea,4% CHAPS（3-[(3-Cholamidopropyl)dimethylammonio]propanesulfonate）,20mM dithiothreitol,0.5% Ampholyteの組成の緩衝液が好適である。
【００３５】
ＩＥＦチップ４０は、搬送アーム４５によって電気泳動用チャンバー１に設置され、生体サンプルの導入と二次元電気泳動の一次元目の電気泳動（等電点電気泳動）が行われる。本実施形態では、電気泳動用チャンバー１において生体サンプルの導入と等電点電気泳動の双方を行うこととするが、生体サンプルの導入を電気泳動用チャンバー１で行い、等電点電気泳動を他の電気泳動用チャンバー（第３の電気泳動用チャンバー８１）で行うようにしてもよい。
【００３６】
電気泳動装置１２には、二次元目の電気泳動（ＳＤＳ−ポリアクリルアミドゲル電気泳動（ＳＤＳ−ＰＡＧＥ））により生体サンプルの分離を行うための第２の電気泳動用チャンバー８０が設けられている。一次元目の電気泳動が完了したＩＥＦチップ４０は、搬送アーム４５によって第２の電気泳動用チャンバー８０に搬送される。
【００３７】
図３（ａ）は、電気泳動用器具１０の平面図であり、図３（ｂ）は、電気泳動用器具１０の断面図である。
【００３８】
電気泳動用器具１０は直方体形状を有し、電気泳動用器具１０の中央部には細長い矩形状の電気泳動用チャンバー１が形成されている。電気泳動用チャンバー１の長手方向一端側には、サンプル分離媒体４２の酸性側の端部が接触する第１電極３０が設置されており、電気泳動用チャンバー１の長手方向他端側には、サンプル分離媒体４２の塩基性側の端部が接触する第２電極３１が設置されている。
【００３９】
電気泳動用チャンバー１の長手方向一端側および長手方向他端側には、第１電極３０および第２電極３１を保持するための第１電極保持部４および第２電極保持部５がそれぞれ設けられている。第１電極保持部４および第２電極保持部５は、サンプル分離媒体４２の酸性側の端部および塩基性側の端部をそれぞれ挟むように設置面１ａから突出して設けられている。
【００４０】
電気泳動用チャンバー１の底面（ＩＥＦチップが設置される設置面１ａ）には、サンプル溶液を保持するためのサンプル保持部３が形成されている。サンプル保持部３は、サンプル溶液の濡れ広がりを抑制しつつ、サンプル溶液を設置面１ａの特定領域に保持するものである。サンプル保持部３は、例えば、サンプル保持部３の周囲の設置面１ａよりも親水性の高い親水性部として構成される。サンプル保持部３を親水性部とした場合、サンプル保持部３に供給されたサンプル溶液はサンプル保持部３の外側に濡れ広がらない。そのため、サンプル溶液はサンプル保持部３に安定的に保持される。
【００４１】
親水性部は、例えば、設置面１ａの一部にＵＶ処理などの親水処理を施す、設置面１ａの一部にサンプル溶液に対して濡れ性の高い親水性の膜を形成する、設置面１ａの一部を親水性の高い材料で形成する、などの方法により形成することができる。また、設置面１ａの一部に撥水性の膜を形成する、設置面１ａの一部を撥水性の高い材料で形成する、などの方法により、設置面１ａの一部に撥水性部を形成し、撥水性部以外の領域を親水性部とすることもできる。
【００４２】
本実施形態では、サンプル保持部３は、電気泳動用チャンバー１の中心部を挟んで第１電極３０に近い側から第２電極３１に近い側まで細長く形成されている。サンプル保持部３の長さは、第１電極３０と第２電極３１との間の距離よりも若干短い。サンプル保持部３の幅は、サンプル分離媒体４２の幅と概ね同じであり、サンプル保持部３の上部はサンプル分離媒体４２によって完全に覆われるようになっている。
【００４３】
図４および図５は、サンプル分離媒体に生体サンプルを導入するサンプル導入方法の説明図である。図４（ａ）は、電気泳動用器具の平面図であり、図４（ｂ）、図５（ａ）、図５（ｂ）および図５（ｃ）は、電気泳動用器具の断面図である。
【００４４】
本実施形態のサンプル導入方法は、二次元電気泳動によって生体サンプルを分離するサンプル分離方法に適用される。本実施形態のサンプル分離方法は、本実施形態のサンプル導入方法を用いてサンプル分離媒体４２に生体サンプルを導入するサンプル導入ステップと、第１電極３０と第２電極３２との間に電圧を印加して、生体サンプルを等電点電気泳動によって分離する第１電気泳動ステップと、第１電気泳動ステップによって生体サンプルの分離が行われたサンプル分離媒体４２を第２の電気泳動用チャンバー８０に搬送する搬送ステップと、第２の電気泳動用チャンバー８０に搬送されたサンプル分離媒体４２に電圧を印加し、生体サンプルをＳＤＳ−ポリアクリルアミドゲル電気泳動（ＳＤＳ‐ＰＡＧＥ）によって分離する第２電気泳動ステップと、を含む。
【００４５】
本実施形態のサンプル導入方法は、サンプル分離媒体４２が設置される設置面１ａに生体サンプルを含むサンプル溶液Ｓを供給する第１のステップと、設置面１ａに供給したサンプル溶液Ｓにサンプル分離媒体４２を接触させ、サンプル分離媒体４２に生体サンプルを導入する第２のステップと、を含む。
【００４６】
具体的には、まず図４に示すように、タンパク質や核酸などの生体サンプルを含むサンプル溶液Ｓを電気泳動用チャンバー１の設置面１ａに設けられたサンプル保持部３に供給する。サンプル保持部３はその周辺部よりもサンプル溶液Ｓに対する親和性が高いので、サンプル溶液Ｓはサンプル保持部３の外側に濡れ広がらず、サンプル保持部３に確実に保持される。サンプル溶液Ｓは、表面張力によって設置面１ａから盛り上がるため、サンプル分離媒体にサンプル溶液Ｓが確実に接触する。
【００４７】
次に、図５（ａ）に示すように、緩衝液でサンプル分離媒体４２を膨潤させたＩＥＦチップ４０を搬送アーム４５を用いて電気泳動用チャンバー１に設置し、サンプル保持部３に保持されたサンプル溶液Ｓにサンプル分離媒体４２を接触させる。サンプル分離媒体４２としては、膨らむ余地の残った未飽和膨潤のサンプル分離媒体を用いることが好ましい。サンプル溶液Ｓは、表面張力によって設置面１ａから盛り上がっているため、サンプル溶液Ｓはサンプル分離媒体４２に確実に接触する。そして、図５（ｂ）に示すように、第１電極３０と第２電極３１の間に２００Ｖ程度の電圧を印加して、電荷を持つ生体サンプルをサンプル分離媒体４２に導入する。その後、図５（ｃ）に示すように、搬送アーム４５によりサンプル分離媒体４２をサンプル保持部３（設置面１ａ）に向けて押し込み、サンプル保持部３にサンプル分離媒体４２を密着させた状態で６０００Ｖまで電圧を上昇させ、等電点電気泳動を行う。
【００４８】
等電点電気泳動が行われた後、搬送アーム４５を用いてＩＥＦチップ４０を電気泳動用チャンバー１から取り出す。そして、サンプル分離媒体４２をＳＤＳを含む溶液に浸してＳＤＳ平衡化し、ＳＤＳ‐ＰＡＧＥ用のサンプル分離媒体（ポリアクリルアミドのゲル）に接続させる。そして、搬送アーム４５によりＩＥＦチップ４０を第２の電気泳動用チャンバー８０（図２参照）に搬送し、二次元目の電気泳動（ＳＤＳ‐ＰＡＧＥ）を行う。
【００４９】
以上のように、本実施形態の電気泳動装置１２では、電気泳動用チャンバー１にサンプル溶液Ｓを供給し、サンプル分離媒体４２をサンプル溶液Ｓに接触させて生体サンプルをサンプル分離媒体４２に導入する。そして、そのまま電気泳動用チャンバー１内でサンプル分離媒体４２に電圧を印加し、等電点電気泳動を行う。そのため、サンプル分離媒体４２への生体サンプルの導入時に乾燥防止のオイルや不純物除去用のろ紙などを使用する必要がない。よって、煩雑な操作がなく、再現性の高いデータが得られる。
【００５０】
また、本実施形態の電気泳動装置１２では、サンプル分離媒体４２に生体サンプルを導入した後、サンプル保持部３にサンプル分離媒体４２を密着させた状態でサンプル分離媒体４２に電圧を印加する。そのため、サンプル分離媒体４２に電圧が均一に印加され、サンプル導入効率が高く、均一なフォーカシングと高分解能な分離が行われる。よって、等電点電気泳動による生体サンプルの分離を再現性よく容易に行うことが可能となる。
【００５１】
図６は、サンプル保持部にサンプル分離媒体４２を密着させた場合と密着させない場合とで、サンプル分離媒体４２に印加される電圧の均一性がどのように変化するかを説明する図である。図６（ａ）は、サンプル分離媒体４２をサンプル保持部に密着させず、サンプル保持部とサンプル分離媒体４２との間にサンプル溶液Ｓが残っている状態でサンプル分離媒体４２に電圧を印加したときのサンプル分離媒体４２の内部およびその周辺部の電気力線の様子を示す図である。図６（ｂ）は、サンプル分離媒体４２をサンプル保持部に密着させ、サンプル保持部とサンプル分離媒体４２との間にサンプル溶液Ｓが介在しない状態でサンプル分離媒体４２に電圧を印加したときのサンプル分離媒体４２の内部およびその周辺部の電気力線の様子を示す図である。
【００５２】
なお、電気力線のシミュレーションに際しては、サンプル分離媒体４２とサンプル溶液Ｓの誘電率を水と同じ誘電率とした。
【００５３】
図６（ａ）に示すように、サンプル分離媒体４２とサンプル保持部との間にサンプル溶液Ｓが残った状態でサンプル分離媒体４２に電圧を印加すると、サンプル分離媒体４２の内部の電気力線は、サンプル溶液Ｓと接している部分で、サンプル溶液Ｓのほうに大きく湾曲する。そのため、サンプル分離媒体４２に生体サンプルが導入されていても、サンプル溶液Ｓと接している部分から、生体サンプルがサンプル分離媒体４２の外部に漏出する。
【００５４】
図６（ｂ）に示すように、サンプル分離媒体４２をサンプル保持部に密着させた状態でサンプル分離媒体４２に電圧を印加すると、サンプル分離媒体４２の内部の電気力線は均一になり、サンプル分離媒体４２全体に均一な電圧が印加される。よって、均一なフォーカシングと高分解能な分離が可能となる。
【００５５】
以上、電気泳動装置および電気泳動用チャンバーの好適な形態について説明したが、電気泳動装置および電気泳動用チャンバーの構成はこれに限定されない。
【００５６】
例えば、本実施形態では、サンプル保持部３を第１電極３０の近傍から第２電極３１の近傍まで細長く形成したが、サンプル保持部３を形成する位置は特に限定されない。例えば、電気泳動用チャンバー１の中心部にサンプル保持部３を形成してもよく、電気泳動用チャンバー１の中心部よりも酸性側または塩基性側に偏った位置にサンプル保持部３を形成してもよい。サンプル保持部３がサンプル分離媒体４２の長手方向に細長く形成されている場合には、生体サンプルがサンプル分離媒体４２全体に均一に導入されやすくなる。サンプル保持部３が電気泳動用チャンバー１の中心部よりも酸性側または塩基性側に偏って配置されている場合には、等電点電気泳動により生体サンプルを分離する際に、生体サンプルの移動距離が長くなり、分解能が向上する。
【００５７】
また、本実施形態では、サンプル保持部３の幅がサンプル分離媒体４２の幅と略同じ幅となっているが、サンプル保持部３の幅はこれに限定されない。例えば、サンプル保持部３の幅はサンプル分離媒体４２の幅よりも大きくてもよく、サンプル分離媒体４２の幅よりも小さくてもよい。サンプル保持部３の一部若しくは全部の幅がサンプル分離媒体４２の幅よりも広い場合には、サンプル保持部３の上部がサンプル分離媒体４２によって完全には覆われないので、サンプル分離媒体４２をサンプル溶液に接触させた際に生じる気泡をサンプル溶液の外部に排出し易くなる。
【００５８】
サンプル保持部３の一部若しくは全部の幅がサンプル分離媒体４２の幅よりも広い場合には、サンプル溶液の乾燥を防ぐために電気泳動用チャンバー１の上部をカバー５０で覆うことが好ましい。サンプル保持部３の全部の幅がサンプル分離媒体４２の幅と同じかそれよりも狭い場合には、電気泳動用チャンバー１の上部をカバー５０で覆う必要はない。
【００５９】
また、本実施形態では、搬送アーム４５によってサンプル分離媒体４２をサンプル保持部３に密着させたが、サンプル分離媒体４２をサンプル保持部３に密着させる方法はこれに限定されない。例えば、サンプル分離媒体４２にサンプル溶液Ｓを吸収させた際のサンプル分離媒体４２の膨潤によってサンプル分離媒体４２をサンプル保持部３に密着させてもよい。
【００６０】
［第２実施形態］
図７は、第２実施形態の電気泳動装置１４の概略構成を示す図である。
【００６１】
本実施形態において第１実施形態と異なる点は、サンプル保持部２がサンプル溶液を注入するための窪みとして構成されている点である。
【００６２】
本実施形態では、サンプル保持部２は、電気泳動用チャンバー１の中心部を挟んで第１電極３０に近い側から第２電極３１に近い側まで細長く形成されている。サンプル保持部２の長さは、第１電極３０と第２電極３１との間の距離よりも若干短い。サンプル保持部２の幅は、サンプル分離媒体４２の幅と概ね同じであり、サンプル保持部２の上部はサンプル分離媒体４２によって完全に覆われるようになっている。サンプル保持部２の容積は、サンプル保持部２に注入されるサンプル溶液の体積よりも若干小さい。サンプル保持部２の深さは、サンプル分離媒体の厚みよりも浅く、サンプル分離媒体をサンプル保持部２に向けて押し込んだときに、サンプル分離媒体４２がサンプル保持部２の底面および内壁面に密着するようになっている。
【００６３】
図８および図９は、サンプル分離媒体に生体サンプルを導入するサンプル導入方法の説明図である。図８（ａ）は、電気泳動用器具１５の平面図であり、図８（ｂ）、図９（ａ）、図９（ｂ）および図９（ｃ）は、電気泳動用器具１５の断面図である。
【００６４】
本実施形態では、まず、図８に示すように、タンパク質や核酸などの生体サンプルを含むサンプル溶液Ｓを電気泳動用チャンバー１の設置面１ａに設けられた深さ０．５ｍｍ〜１ｍｍ程度のサンプル保持部２に注入する。サンプル保持部２の深さは、０ｍｍよりも深く１５ｍｍよりも浅い範囲であれば最適な実験結果を得ることができ、０．５ｍｍ以上１ｍｍ以下の範囲であれば、より好ましい実験結果が得られる。サンプル溶液Ｓは設置面１ａから若干盛り上がるようにし、サンプル分離媒体にサンプル溶液Ｓが確実に接触するようにする。サンプル溶液Ｓの量が不足している場合には、緩衝液を加えてサンプル溶液Ｓの量を調整し、サンプル保持部２がサンプル溶液Ｓで満たされるようにする。
【００６５】
次に、図９（ａ）に示すように、緩衝液でサンプル分離媒体４２を飽和膨潤させたＩＥＦチップ４０を搬送アーム４５を用いて電気泳動用チャンバー１に設置し、サンプル溶液Ｓの入ったサンプル保持部２をサンプル分離媒体４２によって覆い、サンプル保持部２にサンプル分離媒体４２を密着させる。そして、図９（ｂ）に示すように、第１電極３０と第２電極３１の間に２００Ｖ程度の電圧を印加して、電荷を持つ生体サンプルをサンプル分離媒体４２に導入する。サンプル分離媒体４２をサンプル保持部２の底部まで行き渡らせた状態で電圧を印加することにより、サンプル分離媒体４２に電圧が均一に印加され、生体サンプルが効率的にサンプル分離媒体４２に導入されるようになる。その後、図９（ｃ）に示すように、搬送アーム４５によりサンプル分離媒体４２をサンプル保持部２に押し込んで６０００Ｖまで電圧を上昇させ、等電点電気泳動を行う。
【００６６】
等電点電気泳動が行われた後、搬送アーム４５を用いてＩＥＦチップ４０を電気泳動用チャンバー１から取り出す。そして、サンプル分離媒体４２をＳＤＳを含む溶液に浸してＳＤＳ平衡化し、ＳＤＳ‐ＰＡＧＥ用のサンプル分離媒体（ポリアクリルアミドのゲル）に接続させる。そして、搬送アーム４５によりＩＥＦチップ４０を第２の電気泳動用チャンバー８０（図２参照）に搬送し、二次元目の電気泳動（ＳＤＳ‐ＰＡＧＥ）を行う。
【００６７】
以上のように、本実施形態の電気泳動装置１４では、電気泳動用チャンバー１にサンプル溶液Ｓを供給し、サンプル分離媒体４２をサンプル溶液Ｓに被せて生体サンプルの導入を行う。そして、そのまま電気泳動用チャンバー１内でサンプル分離媒体４２に電圧を印加し、等電点電気泳動を行う。サンプル分離媒体４２への生体サンプルの導入時に乾燥防止のオイルや不純物除去用のろ紙などを使用しないので、煩雑な操作がなく、再現性の高いデータが得られる。
【００６８】
また、本実施形態の電気泳動装置１４では、サンプル分離媒体４２に生体サンプルを導入した後、サンプル保持部２にサンプル分離媒体４２を密着させた状態でサンプル分離媒体４２に電圧を印加する。そのため、サンプル分離媒体４２に電圧が均一に印加され、サンプル導入効率が高く、均一なフォーカシングと高分解能な分離が行われる。よって、等電点電気泳動による生体サンプルの分離を再現性よく容易に行うことが可能となる。
【００６９】
図１０は、サンプル保持部にサンプル分離媒体４２を密着させた場合と密着させない場合とで、サンプル分離媒体４２に印加される電圧の均一性がどのように変化するかを説明する図である。図１０（ａ）は、サンプル分離媒体４２をサンプル保持部の底面および内壁面に密着させず、サンプル保持部の底面および内壁面とサンプル分離媒体４２との間にサンプル溶液Ｓが残っている状態でサンプル分離媒体４２に電圧を印加したときのサンプル分離媒体４２の内部およびその周辺部の電気力線の様子を示す図である。図１０（ｂ）は、サンプル分離媒体４２をサンプル保持部の底面および内壁面に密着させ、サンプル保持部の底面および内壁面とサンプル分離媒体４２との間にサンプル溶液Ｓが介在しない状態でサンプル分離媒体４２に電圧を印加したときのサンプル分離媒体４２の内部およびその周辺部の電気力線の様子を示す図である。
【００７０】
なお、電気力線のシミュレーションに際しては、サンプル分離媒体４２とサンプル溶液Ｓの誘電率を水と同じ誘電率とした。
【００７１】
図１０（ａ）に示すように、サンプル分離媒体４２とサンプル保持部の底面および内壁面との間にサンプル溶液Ｓが残った状態でサンプル分離媒体４２に電圧を印加すると、サンプル分離媒体４２の内部の電気力線は、サンプル溶液Ｓと接している部分で、サンプル溶液Ｓのほうに大きく湾曲する。そのため、サンプル分離媒体４２に生体サンプルが導入されていても、サンプル溶液Ｓと接している部分から、生体サンプルがサンプル分離媒体４２の外部に漏出する。
【００７２】
図１０（ｂ）に示すように、サンプル分離媒体４２をサンプル保持部の底面および内壁面に密着させた状態でサンプル分離媒体４２に電圧を印加すると、サンプル分離媒体４２の内部の電気力線は均一になり、サンプル分離媒体４２全体に均一な電圧が印加される。よって、均一なフォーカシングと高分解能な分離が可能となる。
【００７３】
以上、電気泳動装置および電気泳動用チャンバーの好適な形態について説明したが、電気泳動装置および電気泳動用チャンバーの構成はこれに限定されない。
【００７４】
例えば、本実施形態では、サンプル保持部２を第１電極３０の近傍から第２電極３１の近傍まで細長く形成したが、サンプル保持部２を形成する位置は特に限定されない。例えば、電気泳動用チャンバー１の中心部にサンプル保持部２を形成してもよく、電気泳動用チャンバー１の中心部よりも酸性側または塩基性側に偏った位置にサンプル保持部２を形成してもよい。サンプル保持部２がサンプル分離媒体４２の長手方向に細長く形成されている場合には、生体サンプルがサンプル分離媒体４２全体に均一に導入されやすくなる。サンプル保持部２が電気泳動用チャンバー１の中心部よりも酸性側または塩基性側に偏って配置されている場合には、等電点電気泳動により生体サンプルを分離する際に、生体サンプルの移動距離が長くなり、分解能が向上する。
【００７５】
また、本実施形態では、サンプル保持部２の幅がサンプル分離媒体４２の幅と略同じ幅となっているが、サンプル保持部２の幅はこれに限定されない。例えば、サンプル保持部２の幅はサンプル分離媒体４２の幅よりも大きくてもよく、サンプル分離媒体４２の幅よりも小さくてもよい。サンプル保持部２の一部若しくは全部の幅がサンプル分離媒体４２の幅よりも広い場合には、サンプル保持部２の上部がサンプル分離媒体４２によって完全には覆われないので、サンプル分離媒体４２をサンプル溶液に接触させた際に生じる気泡をサンプル溶液の外部に排出し易くなる。
【００７６】
サンプル保持部２の一部若しくは全部の幅がサンプル分離媒体４２の幅よりも広い場合には、サンプル溶液の乾燥を防ぐために電気泳動用チャンバー１の上部をカバー５０で覆うことが好ましい。サンプル保持部２の全部の幅がサンプル分離媒体４２の幅と同じかそれよりも狭い場合には、電気泳動用チャンバー１の上部をカバー５０で覆う必要はない。
【００７７】
また、本実施形態では、搬送アーム４５によってサンプル分離媒体４２をサンプル保持部２の底面および内壁面に密着させたが、サンプル分離媒体４２をサンプル保持部２の底面および内壁面に密着させる方法はこれに限定されない。例えば、サンプル分離媒体４２にサンプル溶液Ｓを吸収させた際のサンプル分離媒体４２の膨潤によってサンプル分離媒体４２をサンプル保持部２の底面および内壁面に密着させてもよい。
【００７８】
また、本実施形態では、電気泳動用チャンバー１において生体サンプルの導入と等電点電気泳動の双方を行うようにしたが、生体サンプルの導入を電気泳動用チャンバー１で行い、等電点電気泳動を他の電気泳動用チャンバー（第３の電気泳動用チャンバー８１）で行うようにしてもよい。
【００７９】
第３の電気泳動用チャンバー８１は、サンプル分離媒体４２が設置される設置面が平坦な電気泳動用チャンバーである。第３の電気泳動用チャンバー８１は、設置面に窪みが形成されていない点で電気泳動用チャンバー１と異なるが、それ以外の構成は電気泳動用チャンバー１と同じである。よって、第３の電気泳動用チャンバー８１の詳細構成の図示は省略する。
【００８０】
電気泳動用チャンバー１において生体サンプルの導入を行ったサンプル分離媒体４２は、搬送アーム４５（図２参照）を用いて第３の電気泳動用チャンバー８１（図２参照）に設置する。そして、第３の電気泳動用チャンバー８１に設けられた第１電極および第２電極を用いてサンプル分離媒体４２に６０００Vの電圧を印加し、等電点電気泳動により生体サンプルの分離を行う。この場合、等電点電気泳動を設置面が平坦な第３の電気泳動用チャンバー８１を用いて行うため、サンプル分離媒体４２全体に均一に電圧が印加され、均一なフォーカシングと高分解能な分離が可能となる。
【００８１】
［第３実施形態］
図１１（ａ）は、第３実施形態の電気泳動用器具１６の平面図であり、図１１（ｂ）は、同電気泳動用器具１６の断面図である。
【００８２】
本実施形態において第２実施形態と異なる点は、サンプル保持部１７が電気泳動用チャンバー１の中心部よりも酸性側または塩基性側に偏って配置されている点である。本実施形態の場合、サンプル保持部１７は第１電極３０よりも第２電極３１に近い側に設けられているが、サンプル保持部１７は第２電極３１よりも第１電極３０に近い側に設けられていてもよい。
【００８３】
サンプル保持部１７の容積は、サンプル保持部１７に注入されるサンプル溶液の体積よりも若干小さいことが好ましい。この構成によれば、サンプル保持部１７にサンプル溶液を注入した際に、サンプル溶液が設置面１ａから盛り上がり、サンプル溶液がサンプル分離媒体４２に確実に接触する。
【００８４】
サンプル保持部１７の面積は、サンプル溶液とサンプル分離媒体４２との間に十分な接触面積が確保できる面積であればよく、特に限定されるものではない。図１１では、サンプル保持部１７の幅がサンプル分離媒体４２の幅よりも大きくなっているが、サンプル保持部１７の幅はサンプル分離媒体４２の幅よりも小さくてもよい。サンプル保持部１７の一部若しくは全部の幅がサンプル分離媒体４２の幅よりも広い場合には、サンプル保持部１７の上部がサンプル分離媒体４２によって完全には覆われないので、サンプル分離媒体４２をサンプル溶液に接触させた際に生じる気泡をサンプル溶液の外部に排出し易くなる。
【００８５】
サンプル保持部１７の一部若しくは全部の幅がサンプル分離媒体４２の幅よりも広い場合には、サンプル溶液の乾燥を防ぐために電気泳動用チャンバー１の上部をカバー５０（図１参照）で覆うことが好ましい。サンプル保持部１７の全部の幅がサンプル分離媒体４２の幅と同じかそれよりも狭い場合には、電気泳動用チャンバー１の上部をカバー５０（図１参照）で覆う必要はない。
【００８６】
図１２および図１３は、サンプル分離媒体に生体サンプルを導入するサンプル導入方法の説明図である。図１２（ａ）は、電気泳動用器具１６の平面図であり、図１２（ｂ）、図１３（ａ）、図１３（ｂ）および図１３（ｃ）は、電気泳動用器具１６の断面図である。
【００８７】
本実施形態では、まず、図１２に示すように、タンパク質や核酸などの生体サンプルを含むサンプル溶液Ｓを電気泳動用チャンバー１の設置面１ａに設けられた深さ０．５ｍｍ〜１ｍｍ程度のサンプル保持部１７に注入する。サンプル保持部１７の深さは、０ｍｍよりも深く１５ｍｍよりも浅い範囲であれば最適な実験結果を得ることができ、０．５ｍｍ以上１ｍｍ以下の範囲であれば、より好ましい実験結果が得られる。サンプル溶液Ｓは設置面１ａから若干盛り上がるようにし、サンプル分離媒体にサンプル溶液Ｓが確実に接触するようにする。サンプル溶液Ｓの量が不足している場合には、緩衝液を加えてサンプル溶液Ｓの量を調整し、サンプル保持部１７がサンプル溶液Ｓで満たされるようにする。
【００８８】
次に、図１３（ａ）に示すように、緩衝液でサンプル分離媒体４２を飽和膨潤させたＩＥＦチップ４０を搬送アーム４５を用いて電気泳動用チャンバー１に設置し、サンプル溶液Ｓの入ったサンプル保持部１７をサンプル分離媒体４２によって覆い、サンプル保持部１７にサンプル分離媒体４２を密着させる。そして、図１３（ｂ）に示すように、第１電極３０と第２電極３１の間に２００Ｖ程度の電圧を印加して、電荷を持つ生体サンプルをサンプル分離媒体４２に導入する。その後、図１３（ｃ）に示すように、搬送アーム４５によりサンプル分離媒体４２をサンプル保持部１７に押し込んで６０００Ｖまで電圧を上昇させ、等電点電気泳動を行う。
【００８９】
等電点電気泳動が行われた後、搬送アーム４５を用いてＩＥＦチップ４０を電気泳動用チャンバー１から取り出す。そして、サンプル分離媒体４２をＳＤＳを含む溶液に浸してＳＤＳ平衡化し、ＳＤＳ‐ＰＡＧＥ用のサンプル分離媒体（ポリアクリルアミドのゲル）に接続させる。そして、搬送アーム４５によりＩＥＦチップ４０を第２の電気泳動用チャンバー８０（図２参照）に搬送し、二次元目の電気泳動（ＳＤＳ‐ＰＡＧＥ）を行う。
【００９０】
以上のように、本実施形態の電気泳動用器具１６では、サンプル保持部１７が電気泳動用チャンバー１の中心部よりも酸性側または塩基性側に偏って配置されている。そのため、等電点電気泳動により生体サンプルを分離する際に、生体サンプルの移動距離が長くなり、分解能が向上する。
【００９１】
［第１変形形態］
図１４（ａ）ないし図１４（ｅ）は、電気泳動用器具１８に設けられるサンプル保持部１９の他のバリエーションの一例を示す平面図である。
【００９２】
図１４（ａ）は、楕円形のサンプル保持部１９が電気泳動用チャンバー１の中心部に設けられている例である。図１４（ｂ）は、楕円形のサンプル保持部１９が電気泳動用チャンバー１の中心部よりも第２電極３１側に偏って設けられている例である。図１４（ｃ）は、楕円形のサンプル保持部１９が電気泳動用チャンバー１の中心部よりも第１電極３０側に偏って設けられている例である。図１４（ｄ）は、楕円形の３つのサンプル保持部１９が電気泳動用チャンバー１の長手方向に沿って互いに離間して配置されている例である。図１４（ａ）は、第１電極３０側と第２電極３１側の辺が円弧状に湾曲した略矩形のサンプル保持部１９が電気泳動用チャンバー１の中心部を挟んで第１電極３０に近い側から第２電極３１に近い側まで細長く形成されている例である。
【００９３】
図１４に示したサンプル保持部１９の形状、配置、個数は一例であって、これ以外の様々な形状、配置、個数を有するサンプル保持部１９を電気泳動用チャンバー１に形成することができる。このようなサンプル保持部１９は、サンプル溶液に対して親和性を有する親水性部として構成されていてもよく、サンプル溶液を注入するための窪みとして構成されていてもよい。
【００９４】
［第２変形形態］
上記実施形態および第１変形形態では、電気泳動用チャンバー１の設置面１ａにサンプル溶液Ｓを保持するサンプル保持部２，３，１７，１９を設けた。サンプル保持部２，３，１７，１９は、サンプル溶液Ｓの濡れ広がりを抑制するものであるが、サンプル溶液Ｓが多少濡れ広がっても生体サンプルの導入時に大きな問題が生じない場合には、電気泳動用チャンバー１の設置面１ａにサンプル保持部２，３，１７，１９を設けなくてもよい。
【００９５】
例えば、電気泳動用チャンバー１の幅がサンプル分離媒体４２の幅と略同じ幅である場合には、サンプル溶液Ｓの濡れ広がりは問題にならない。よって、サンプル保持部を設けずに、単に設置面１ａにサンプル溶液Ｓを供給して、その上にサンプル分離媒体４２を被せるだけで、サンプル分離媒体４２に生体サンプルを導入することが可能である。サンプル分離媒体４２に生体サンプルを導入した後は、電気泳動用チャンバー１の設置面１ａにサンプル分離媒体４２を密着させて第１電極３０と第２電極３１との間に電圧を印加することで、均一なフォーカシングと高分解能な分離が行われる。
【産業上の利用可能性】
【００９６】
本発明は、タンパク質や核酸などの生体サンプルを電気泳動により分離し、分離した生体サンプルを含むサンプル分離媒体を切り出して質量分析装置によって同定したり、あるいは、分離した生体サンプルをサンプル分離媒体から膜に転写し、免疫反応などを利用して生体サンプルを検出したりする手段に好適に利用することができる。
【符号の説明】
【００９７】
１…電気泳動用チャンバー、１ａ…設置面、２，３，１７，１９…サンプル保持部、１０，１５，１６，１８…電気泳動用器具、１２，１４…電気泳動装置、３０…第１電極、３１…第２電極、４２…サンプル分離媒体、４５…搬送アーム、８０…第２の電気泳動用チャンバー、８１…第３の電気泳動用チャンバー、Ｓ…サンプル溶液
【図１】
0005502150.tif 000002
【図２】
0005502150.tif 000003
【図３】
0005502150.tif 000004
【図４】
0005502150.tif 000005
【図５】
0005502150.tif 000006
【図６】
0005502150.tif 000007
【図７】
0005502150.tif 000008
【図８】
0005502150.tif 000009
【図９】
0005502150.tif 000010
【図１０】
0005502150.tif 000011
【図１１】
0005502150.tif 000012
【図１２】
0005502150.tif 000013
【図１３】
0005502150.tif 000014
【図１４】
0005502150.tif 000015